【手続補正書】
【提出日】平成18年10月26日(2006.10.26)
【手続補正１】
【補正対象書類名】特許請求の範囲
【補正対象項目名】全文
【補正方法】変更
【補正の内容】
【特許請求の範囲】
【請求項１】
・支持体、及び
・酸基を有するポリマー又はコポリマーを含むインク、
を含み、前記基の少なくとも一つは、対応するアミドに転化されていることを特徴とする、リソグラフ印刷フォーム。
【請求項２】
支持体が、金属プレートである、請求項１に記載のリソグラフ印刷フォーム。
【請求項３】
アミドが、アンモニア、アルキルアミン又はジアルキルアミンから製造される、請求項１又は２に記載のリソグラフ印刷フォーム。
【請求項４】
インクを乾燥又は焼き付ける、請求項１〜３のいずれか１項に記載のリソグラフ印刷フォーム。
【請求項５】
ポリマー又はコポリマーが、少なくとも一つのモノマー：アクリル酸、メタクリル酸、マレイン酸、無水マレイン酸、フマル酸、無水フマル酸、スチレン、スルホン化スチレン又はビニルから構成される、請求項１〜４のいずれか１項に記載のリソグラフ印刷フォーム。
【請求項６】
ポリマーの平均モル質量が250g/モルを超える、請求項１〜５のいずれか１項に記載のリソグラフ印刷フォーム。
【請求項７】
ポリマーの平均モル質量が10000g/モルを超える、請求項６に記載のリソグラフ印刷フォーム。
【請求項８】
ポリマーの平均モル質量が14000g/モルを超える、請求項６に記載のリソグラフ印刷フォーム。
【請求項９】
インクが、以下の成分：
a) 界面活性剤0.1〜20質量％、
b) 着色剤0.1〜20質量％、
c) 一つ以上の脂肪酸、油又はアルコール0.001質量％〜飽和量
d) 遷移金属群の少なくとも一つの金属又は金属錯体0.001〜10質量％、
e) 表面張力/粘度調整剤0.1〜80質量％
f) 親水性添加剤0.01〜20質量％
g) 水5〜90質量％
の少なくとも一つをさらに含む、請求項１〜８のいずれか１項に記載のリソグラフ印刷フォーム。
【請求項１０】
前記金属又は金属錯体が、クロム、チタン、鉄、モリブデン、マンガン、コバルト、ジルコニウム、バナジウム及びそれらの錯体からなる群より選ばれる、請求項９に記載のリソグラフ印刷フォーム。
【請求項１１】
支持体がアルミニウムプレートである、請求項１〜１０のいずれか１項に記載のリソグラフ印刷フォーム。
【請求項１２】
以下の工程：
・支持体を、酸基を有するポリマー又はコポリマーを含むインクで処理する工程(前記基の少なくとも一つは対応するアミドに転化されている)；及び
・支持体を乾燥する工程
を含む、請求項１〜１１のいずれか１項に記載のリソグラフ印刷フォームの製造方法。
【請求項１３】
支持体が、金属プレートである、請求項１２に記載のリソグラフ印刷フォームの製造方法。
【請求項１４】
さらに、支持体を加熱する工程を含む、請求項１２又は１３に記載のリソグラフ印刷フォームの製造方法。
【請求項１５】
アミドが、アンモニア、アルキルアミン又はジアルキルアミンから製造される、請求項１２〜１４のいずれか１項に記載のリソグラフ印刷フォームの製造方法。
【請求項１６】
ポリマー又はコポリマーが、少なくとも一つのモノマー：アクリル酸、メタクリル酸、マレイン酸、無水マレイン酸、フマル酸、無水フマル酸、スチレン、スルホン化スチレン又はビニルから構成される、請求項１２〜１５のいずれか１項に記載のリソグラフ印刷フォームの製造方法。
【請求項１７】
ポリマーの平均モル質量が250g/モルを超える、請求項１２〜１６のいずれか１項に記載のリソグラフ印刷フォームの製造方法。
【請求項１８】
ポリマーの平均モル質量が10000g/モルを超える、請求項１７に記載のリソグラフ印刷フォーム。
【請求項１９】
ポリマーの平均モル質量が14000g/モルを超える、請求項１７に記載のリソグラフ印刷フォーム。
【請求項２０】
インクが、以下の成分：
a) 界面活性剤0.1〜20質量％、
b) 着色剤0.1〜20質量％、
c) 一つ以上の脂肪酸、油又はアルコール0.001質量％〜飽和量
d) 遷移金属群の少なくとも一つの金属又は金属錯体0.001〜10質量％、
e) 表面張力/粘度調整剤0.1〜80質量％
f) 親水性添加剤0.01〜20質量％
g) 水5〜90質量％。
の少なくとも一つをさらに含む、請求項１２〜１９のいずれか１項に記載のリソグラフ印刷フォームの製造方法。
【請求項２１】
金属又は金属錯体が、クロム、チタン、鉄、モリブデン、マンガン、コバルト、ジルコニウム、バナジウム及びそれらの錯体からなる群より選ばれる、請求項２０に記載のリソグラフ印刷フォームの製造方法。
【請求項２２】
支持体を150℃より高い温度に加熱する、請求項１２〜２１のいずれか１項に記載のリソグラフ印刷フォームの製造方法。
【請求項２３】
支持体を170℃〜220℃に加熱する、請求項２２に記載のリソグラフ印刷フォームの製造方法。
【請求項２４】
支持体を190℃〜210℃に加熱する、請求項２２に記載のリソグラフ印刷フォーム。
【請求項２５】
支持体がアルミニウムプレートである、請求項１２〜２４のいずれか１項に記載のリソグラフ印刷フォームの製造方法。
【請求項２６】
インクを支持体上で乾燥させるかそこに焼き付ける、請求項１２〜２５のいずれか１項に記載のリソグラフ印刷フォームの製造方法。
【請求項２７】
以下の工程：
g) 酸基を有するポリマー又はコポリマーをアミンで処理する工程、
h) pHを７より高く調整する工程、
を含む、請求項１２〜２６のいずれか１項に記載の方法において使用するためのインクの製造方法。
【請求項２８】
さらに、
i) 脂肪酸、油又はワックスを添加する工程、
j) 一つ以上の遷移金属又は金属錯体を添加する工程、
k) 着色剤を添加する工程、
l) インクを加熱する工程
の少なくとも１を含む、請求項２７に記載のインクの製造方法。
【請求項２９】
アミンがアンモニア、アルキルアミン又はジアルキルアミンである、請求項２７又は２８に記載の方法。
【請求項３０】
pH7.5〜8.5に維持するためにさらなる塩基を加える、請求項２７〜２９のいずれか１項に記載の方法。
【請求項３１】
ポリマー又はコポリマーが、少なくとも一つのモノマー：アクリル酸、メタクリル酸、マレイン酸、無水マレイン酸、フマル酸、無水フマル酸、スチレン、スルホン化スチレン又はビニルから構成される、請求項２７〜３０のいずれか１項に記載の方法。
【請求項３２】
混合物を65℃〜180℃に加熱する、請求項２７〜３１のいずれか１項に記載の方法。
【請求項３３】
混合物を70℃〜150℃に加熱する、請求項３２に記載の方法。
【請求項３４】
混合物を約80℃に加熱する、請求項３２に記載の方法。
【請求項３５】
脂肪酸が、ラウリン酸、ミリスチン酸、パルミチン酸、ステアリン酸、アラキドン酸、パルミトレイン酸、オレイン酸、リノール酸、リノレン酸、ラノリン及びラノリネート-アルコールからなる群より選ばれる、請求項２８〜３４のいずれか１項に記載の方法。
【請求項３６】
脂肪酸が、ラノリン又はラノリンアルコールから抽出される、請求項２８〜３５のいずれか１項に記載の方法。
【請求項３７】
金属又は金属錯体が、クロム、チタン、鉄、モリブデン、マンガン、コバルト、ジルコニウム又はバナジウムである、請求項２８〜３６のいずれか１項に記載の方法。
【請求項３８】
着色剤が、金属錯体染料である、請求項２８〜３７のいずれか１項に記載の方法。
【請求項３９】
着色剤が、染料である、請求項２８〜３７のいずれか１項に記載の方法。
【請求項４０】
着色剤が、ローダミンB、ガロシアニン、メチルグリーン、スダンIV、エリトロシンB及びクリスタルバイオレットからなる群より選ばれる、請求項３９に記載の方法。
【請求項４１】
酸基を有するポリマー又はコポリマーを含む水性インクであって、前記基の少なくとも一つが対応するアミドに転化されており、インクが、一つ以上の脂肪酸0.001質量％〜飽和量
をさらに含む、インク。
【請求項４２】
一つ以上の以下の成分：
- 界面活性剤0.1〜20質量％、
- 着色剤0.1〜20質量％、
- 遷移金属群の少なくとも一つの金属又は金属錯体0.001〜10質量％、
- 表面張力/粘度調整剤0.1〜80質量％
- 親水性添加剤0.01〜20質量％
をさらに含む、請求項４１に記載のインク。
【請求項４３】
前記脂肪酸が、ラノリンから抽出されるか、又はヒドロキシル化ラノリンから誘導される、請求項４１又は４２に記載のインク。
【請求項４４】
前記脂肪酸が、ラノリン油、ラノリン酸又はラノリネートアルコールの形態である、請求項４３に記載のインク。
【請求項４５】
金属又は金属錯体が、クロム、チタン、鉄、モリブデン、マンガン、コバルト、ジルコニウム又はバナジウムからなる群より選ばれる、請求項４２〜４４のいずれか１項に記載のに記載のインク。
【請求項４６】
着色剤が、ローダミンB、ガロシアニン、メチルグリーン、スダンIV、エリトロシンB及びクリスタルバイオレットからなる群より選ばれる染料である、請求項４２〜４５のいずれか１項に記載のインク。
【請求項４７】
添加剤が、エチレングリコールモノメチルエーテル、エチレングリコールジメチルエーテル、エチレングリコールモノエチルエーテル、エチレングリコールジエチルエーテル、エチレングリコールモノ-n-プロピルエーテル、エチレングリコールモノイソプロピルエーテル、エチレングリコールモノ-n-ブチルエーテル、エチレングリコールモノ-sec-ブチルエーテル、エチレングリコールモノイソブチルエーテル、エチレングリコールモノ-tert-ブチルエーテル、エチレングリコールモノ-n-アミルエーテル、エチレングリコールモノ-n-ヘキシルエーテル、プロピレングリコールモノメチルエーテル、プロピレングリコールジメチルエーテル、プロピレングリコールモノエチルエーテル、プロピレングリコールジエチルエーテル、プロピレングリコールモノ-n-プロピルエーテル、プロピレングリコールモノイソプロピルエーテル、プロピレングリコールモノ-n-ブチルエーテル、プロピレングリコールモノ-sec-ブチルエーテル、プロピレングリコールモノイソブチルエーテル、プロピレングリコールモノ-tert-ブチルエーテル、ジエチレングリコールモノメチルエーテル、ジエチレングリコールジメチルエーテル、ジエチレングリコールモノエチルエーテル、ジエチレングリコールジエチルエーテル、ジエチレングリコールモノ-n-プロピルエーテル、ジエチレングリコールモノ-イソ-プロピルエーテル、ジエチレングリコールモノ-n-ブチルエーテル、ジエチレングリコールモノ-sec-ブチルエーテル、ジエチレングリコールモノイソブチルエーテル、ジエチレングリコールモノ-tert-ブチルエーテル、ジプロピレングリコールモノメチルエーテル、ジプロピレングリコールモノ-エチルエーテル、ジプロピレングリコールモノ-n-プロピルエーテル、ジプロピレングリコールモノ-n-ブチルエーテル、ポリエチレングリコールモノプロピルエーテル、ポリエチレングリコールモノブチルエーテル、エチレングリコール、プロピレングリコール、炭素数1〜6のいずれかのアルコールからなる群より選ばれる、請求項４２〜４６のいずれか１項に記載のインク。
【請求項４８】
添加剤が、メタノール、エタノール、n-プロパノール又は2-プロパノールから成る群より選ばれる、請求項４２〜４６のいずれか１項に記載のインク。
【請求項４９】
表面張力が0.01〜0.10N/mである、請求項４１〜４８のいずれか１項に記載のインク。
【請求項５０】
表面張力が0.02〜0.06N/mである、請求項４１〜４８のいずれか１項に記載のインク。
【請求項５１】
表面張力が0.03〜0.05N/mである、請求項４１〜４８のいずれか１項に記載のインク。